(57)【要約】  【課題】初めての訪問者でも簡単な照合だけで入場できるようにし、また、入場管理における担当者の負担を軽減する。  【解決手段】電話番号を入力するための入力部１１と、入力された電話番号に基づき携帯電話機３０を呼び出す呼出部１８と、携帯電話機３０の着信を検知する着信検知部１９と、入場用の扉を制御する扉制御部１７とを設ける。訪問者が自分の携帯電話機３０の電話番号を入力部１１で入力すると、呼出部１８から携帯電話機３０への呼び出しが行われ、携帯電話機３０の着信が着信検知部１９で検知されると、扉制御部１７によって入場用の扉が開かれる。【選択図】  図２
2006107137.tif 000002
【特許請求の範囲】
【請求項１】
携帯電話機の番号を入力する入力手段と、
前記入力手段で入力された電話番号に基づき当該携帯電話機を呼び出す呼出手段と、
前記呼出手段の呼び出しに基づく携帯電話機の着信を検知する着信検知手段と、
前記着信検知手段が着信を検知した場合に入場用扉を開制御する扉制御手段と、
を備えたことを特徴とする入場管理装置。
【請求項２】
請求項１に記載の入場管理装置において、
前記呼出手段による呼び出しを所定時間経過後に停止する呼出停止手段を更に備え、
前記扉制御手段は、前記呼出手段が携帯電話機を呼び出した後、前記呼出停止手段が呼び出しを停止して、前記着信検知手段が着信を検知しなくなったときに、入場用扉を開制御することを特徴とする入場管理装置。
【請求項３】
請求項２に記載の入場管理装置において、
前記所定時間をランダムに変化させることを特徴とする入場管理装置。
【請求項４】
請求項１ないし請求項３のいずれかに記載の入場管理装置において、
前記着信検知手段は、携帯電話機の着信時の振動を検知する振動センサからなることを特徴とする入場管理装置。
【発明の詳細な説明】
【技術分野】
【０００１】
本発明は、特定場所の入口に設置されて入場を管理する入場管理装置に関する。
【背景技術】
【０００２】
企業等においては、顧客や業者のような外部からの訪問者が頻繁に出入りするが、こうした外来者が機密維持を要する場所へ入場する際には、一定のアクセス制限が必要となる。下記の特許文献１には、このような場合に用いられる入退室管理システムが開示されている。本文献のシステムでは、担当者（案内人）が事前に虹彩情報を登録しておき、入室時には、ＩＤタグ付きの名札を訪問者に配布するとともに、虹彩認識装置で担当者の虹彩を照合する。そして、照合結果がＯＫであれば、入室を許可する訪問者の人数を入力することによって入口の扉が開き、入力された人数分だけＩＤタグが読み取られるまで、扉は開いた状態にされる。
【０００３】
【特許文献１】特許３５２３７９５号公報
【発明の開示】
【発明が解決しようとする課題】
【０００４】
しかしながら、特許文献１のシステムによれば、訪問者が入室するためには虹彩情報を登録した担当者が必ず１人必要となる。また、担当者は訪問者を出迎えに行かねばならず、かつ訪問者にＩＤタグを渡す作業が必要となるので、担当者の負担が増大する。一方、入退室の管理にあたっては、必ずしも高度のセキュリティを必要とせず、ある程度までセキュリティが保証できれば十分な場合がある。例えば、入場する場所がそれほど機密性を要しない場所であったり、訪問者がごく限られた範囲の者で、身元も予め判明しているような場合は、あえて高度のセキュリティ機能を備えたシステムを導入する必要はない。
【０００５】
そこで、本発明の課題は、それほど高度のセキュリティが要求されない場合に、初めての訪問者でも簡単な照合だけで入場することができ、また、入場管理における担当者の負担を軽減することができる入場管理装置を提供することにある。
【課題を解決するための手段】
【０００６】
本発明に係る入場管理装置は、携帯電話機の番号を入力する入力手段と、この入力手段で入力された電話番号に基づき当該携帯電話機を呼び出す呼出手段と、この呼出手段の呼び出しに基づく携帯電話機の着信を検知する着信検知手段と、この着信検知手段が着信を検知した場合に入場用扉を開制御する扉制御手段とを備える。
【０００７】
本発明では、訪問者が自分の携帯電話機の電話番号を入場管理装置において入力すると、入場管理装置側から携帯電話機への呼び出しを行う。そして、この呼び出しに基づいて携帯電話機で着信がされると、この着信を検知して入場用の扉が開かれる。このため、訪問者は、携帯電話機さえ所持しておれば、事前登録やＩＤタグの配布を受けなくても、所定場所へ入場することができる。また、訪問者を出迎えたりＩＤタグを配布したりする必要がないので、担当者の負担を軽減することができる。
【０００８】
本発明の好ましい実施形態においては、前記呼出手段による呼び出しを所定時間経過後に停止する呼出停止手段が更に設けられる。そして、扉制御手段は、呼出手段が携帯電話機を呼び出した後、呼出停止手段が呼び出しを停止して、着信検知手段が着信を検知しなくなったときに、入場用扉を開制御する。これによると、でたらめな電話番号を入力し、たまたま着信中の他人の携帯電話機などを使って入場しようとする場合には、呼び出し停止後も着信検知手段が着信を検知して扉が開かないので、セキュリティをある程度まで確保することができる。
【０００９】
本発明の好ましい実施形態においては、上述した呼出停止までの所定時間をランダムに変化させる。これによると、呼び出しが停止するタイミングが毎回変更されるので、呼び出し停止タイミングに合わせて他人の携帯電話機などを着信検知手段から離し、着信を検知させなくすることで不正入場が可能となるのを抑制することができる。
【００１０】
また、本発明の好ましい実施形態においては、着信検知手段が、携帯電話機の着信時の振動を検知する振動センサからなる。携帯電話機の振動の態様は、どの携帯電話機であっても大体同じであるから、振動センサを用いることによって、携帯電話機の機種にかかわらず着信を確実に検知することができる。
【発明の効果】
【００１１】
本発明によれば、それほど高度の機密性が要求されない場所へ訪問者を入場させる場合に、訪問者に携帯電話機の電話番号を入力させて入場を許可するようにしたので、初めての訪問者でも簡単な操作で入場することができる。また、訪問者を出迎えたりタグを配布したりする必要がなくなり、担当者の負担を軽減することができる。
【発明を実施するための最良の形態】
【００１２】
図１は、本発明の入場管理装置を扉付近に設置した状態を示す外観図である。１００は入場管理装置であって、入場用の扉５０のすぐ横に設置されている。入場管理装置１００の床からの高さは、人が手で操作するのに適した高さに設定されている。入場管理装置１００は、後述する入力部１１、カード読取部１２、画像認識部１３、表示部１４、着信検知部１９を備えている。
【００１３】
図２は、本発明の第１実施形態に係る入場管理装置１００のブロック図である。１１は入力部であって、テンキーを備えている。１２はカード読取部であって、磁気カードやＩＣカード等を読み取るカードリーダから構成される。１３は画像認識部であって、入場者の顔を撮像するカメラから構成される。１４は表示部であって、例えば液晶ディスプレイから構成される。１５は記憶部であって、ＲＯＭやＲＡＭ等のメモリから構成される。１６は判定部であって、カード読取部１２で読み取ったカード情報や、画像認識部１３で撮像した画像などの照合・判定を行う。１７は扉制御部であって、扉５０の開閉を行うためのモータ等を制御する。１８は呼出部であって、携帯電話機３０に対する呼び出しを行う。１９は着信検知部であって、携帯電話機３０の着信を検知する。ここでは、着信検知部１９は振動センサから構成されている。２０はＣＰＵを含む制御部であって、入場管理装置１００の全体動作を制御する。
【００１４】
以上の構成において、入力部１１は本発明における入力手段の一実施形態を構成し、扉制御部１７は本発明における扉制御手段の一実施形態を構成し、呼出部１８は本発明における呼出手段の一実施形態を構成し、着信検知部１９は本発明における着信検知手段の一実施形態を構成する。なお、カード読取部１２や画像認識部１３は、事前に登録がされている者に対して照合を行う際に用いられるものであり、本発明とは直接関係がない。したがって、本発明ではこれらを省略してもよい。
【００１５】
図３は、第１実施形態に係る入場管理装置１００の動作を示したフローチャートである。この手順は、制御部２０を構成するＣＰＵが、記憶部１５のＲＯＭに格納されているプログラムに従って実行する。
【００１６】
プログラムがスタートすると、入力部１１のテンキーから電話番号の入力があったか否かを監視する（ステップＳ１）。電話番号の入力がなければ（ステップＳ１：ＮＯ）、カード読取部１２にカードが挿入されたか否かをみて（ステップＳ６）、カードの挿入もなければ（ステップＳ６：ＮＯ）、ステップＳ１へ戻って、電話番号の入力を待つ。
【００１７】
訪問者は、図１の扉５０を開けて入場しようとする場合、自分の携帯電話機３０の電話番号を入力部１１のテンキーを操作して入力する。これにより、ステップＳ１の判定がＹＥＳとなり、呼出部１８が携帯電話機３０へ呼び出しを行う（ステップＳ２）。この呼び出しは、入力された電話番号に対応する発呼信号を携帯電話機３０へ送ることにより行われる。この呼び出しに応答して、携帯電話機３０は着信音を発生するとともに、内蔵されているバイブレータが作動して振動を発生する。訪問者は、これらによって着信があったことを知ると、図４に示したように、携帯電話機３０を手Ｈで把持して、入場管理装置１００の着信検知部１９に当てる。
【００１８】
入場管理装置１００では、呼び出しを行った後、着信検知部１９が振動を検知したか否かを監視し（ステップＳ３）、上述したように振動している携帯電話機３０が着信検知部１９に当てられると、着信検知部１９を構成する振動センサが作動して振動が検知される（ステップＳ３：ＹＥＳ）。このようにして携帯電話機３０の着信が検知されると、表示部１４に、例えば「扉が開きます。お入り下さい。」といった入場を許可するメッセージが表示され（ステップＳ４）、これに続いて、扉制御部１７が扉５０を開く（ステップＳ５）。これにより、訪問者は開いた扉５０から室内へ入場することができる。
【００１９】
ステップＳ６において、カード読取部１２にカードが挿入された場合は（ステップＳ６：ＹＥＳ）、カードから読み取った情報を判定部１６で照合して、入場を許可するか否かを判定する（ステップＳ７）。判定の結果、カード情報が正常であれば入場を許可すると判断し（ステップＳ８：ＹＥＳ）、表示部１４に、入場許可のメッセージを表示して（ステップＳ４）、扉５０を開く（ステップＳ５）。一方、判定の結果、カード情報が異常であれば入場を禁止すると判断し（ステップＳ８：ＮＯ）、表示部１４に、例えば「このカードでは入場できません。」といった入場禁止のメッセージを表示して（ステップＳ９）、扉５０を開けないようにする。
【００２０】
上述した第１実施形態によれば、訪問者が自分の携帯電話機３０の電話番号を入場管理装置１００において入力すると、入場管理装置１００側から携帯電話機３０へ呼び出しが行われ、この呼び出しに基づいて携帯電話機３０で着信がされると、着信検知部１９がこの着信を検知して扉５０が開くようになっている。このため、訪問者は、携帯電話機３０さえ所持しておれば、事前登録やＩＤタグの配布を受けなくても、所定場所へ入場することができる。また、訪問者はセルフで入場できるため、訪問者を出迎えたりＩＤタグを配布したりする必要がなく、担当者の負担を軽減することができる。
【００２１】
また、携帯電話機３０の電話番号を用いて入場管理を行うと、記憶部１５に入場者を特定して記録することができ、事後のフォローが容易となる。図５は、記憶部１５に記憶されているデータの例である。図５（ａ）はあらかじめ登録されている登録者のデータであり、カード番号、会社名、氏名、各扉に対するアクセス権限の有無が登録者ごとに記録されている。図５（ｂ）は登録がされていない未登録者（訪問者）のデータであり、入力部１１から入力された携帯電話機３０の電話番号、アクセス日時、会社名、氏名、各扉に対するアクセス権限の有無が未登録者ごとに記録されている。図５（ｂ）の場合、個人情報である会社名や氏名は、例えば扉開時に入場管理装置１００から案内されるガイダンスに従って訪問者が音声で入力することによって、記憶部１５に記録される。
【００２２】
このように、携帯電話機３０の電話番号を個人情報とともに記憶部１５に記録することで、入場者を特定して記録に残すことができるので、この記録を参照すれば誰がいつ入場したのかを容易に知ることができ、何らかの事情によりアクセス者を制限する必要が生じた場合でも、対応が容易となる。なお、図５（ｂ）の会社名と氏名は省略することもできる。この場合は、携帯電話機３０の電話番号だけで入場者が特定される。
【００２３】
図６は、本発明の第２実施形態に係る入場管理装置１００のブロック図である。１１は入力部、１２はカード読取部、１３は画像認識部、１４は表示部、１５は記憶部、１６は判定部、１７は扉制御部、１８は呼出部、１９は着信検知部、２０は制御部であって、これらはいずれも図２に示した第１実施形態のものと同じである。第２実施形態の入場管理装置１００においては、第１実施形態の入場管理装置１００の構成にタイマ部２１が追加されている。このタイマ部２１は、制御部２０とともに、本発明における呼出停止手段の一実施形態を構成する。
【００２４】
図７は、第２実施形態に係る入場管理装置１００の動作を示したフローチャートである。この手順は、制御部２０を構成するＣＰＵが、記憶部１５のＲＯＭに格納されているプログラムに従って実行する。
【００２５】
プログラムがスタートすると、入力部１１のテンキーから電話番号の入力があったか否かを監視する（ステップＳ１１）。電話番号の入力がなければ（ステップＳ１１：ＮＯ）、カード読取部１２にカードが挿入されたか否かをみて（ステップＳ２２）、カードの挿入もなければ（ステップＳ２２：ＮＯ）、ステップＳ１１へ戻って、電話番号の入力を待つ。
【００２６】
訪問者が携帯電話機３０の電話番号を入力部１１のテンキーで入力すると（ステップＳ１１：ＹＥＳ）、呼出部１８が携帯電話機３０へ呼び出しを行う（ステップＳ１２）。この呼び出しは、前述したように、入力された電話番号に対応する発呼信号を携帯電話機３０へ送ることにより行われる。この呼び出しに応答して、携帯電話機３０は着信音を発生するとともに、内蔵されているバイブレータが作動して振動を発生する。訪問者は、これらによって着信があったことを知ると、図４に示したように、携帯電話機３０を手Ｈで把持して、入場管理装置１００の着信検知部１９に当てる。
【００２７】
入場管理装置１００では、呼び出しを行った後、着信検知部１９が振動を検知したか否かを監視し（ステップＳ１３）、上述したように振動している携帯電話機３０が着信検知部１９に当てられると、着信検知部１９を構成する振動センサが作動して振動が検知される（ステップＳ１３：ＹＥＳ）。このようにして携帯電話機３０の着信が検知されると、タイマ部２１にランダムなタイマ値がセットされ（ステップＳ１４）、タイマ部２１のタイマがスタートする（ステップＳ１５）。タイマ値をランダムとする理由については後述する。タイマで計測した時間が上述したタイマ値になると、タイマがタイムアップし（ステップＳ１６：ＹＥＳ）、呼出部１８は携帯電話機３０への発呼信号の送信を停止する。これによって、呼出部１８から携帯電話機３０への呼び出しが停止する（ステップＳ１７）。この間、携帯電話機３０は図４のように、着信検知部１９に当てられた状態を維持している。
【００２８】
呼び出しが停止すると、次に、着信検知部１９が振動を検知しなくなったか否かを判定する（ステップＳ１８）。呼出部１８からの呼び出しが停止したことにより、携帯電話機３０が着信音や振動の発生を停止し、着信検知部１９が振動を検知しなくなると（ステップＳ１８：ＹＥＳ）、表示部１４に、例えば「扉が開きます。お入り下さい。」といった入場を許可するメッセージが表示され（ステップＳ１９）、これに続いて、扉制御部１７が扉５０を開く（ステップＳ２０）。これにより、訪問者は開いた扉５０から室内へ入場することができる。
【００２９】
一方、呼出部１８が呼び出しを停止したにもかかわらず、着信検知部１９が依然として振動を検知し続けている場合は（ステップＳ１８：ＮＯ）、表示部１４に、例えば「入力された電話番号では入場できません。」といった入場禁止のメッセージを表示して（ステップＳ２１）、扉５０を開けないようにする。呼び出しを停止したにもかかわらず、着信検知部１９が振動を検知する場合としては、例えば、携帯電話機を所持していない訪問者が、入力部１１からでたらめな電話番号を入力し、なんらかの振動物や、たまたま着信中の他人の携帯電話機などを着信検知部１９へ当てた場合が考えられる。第１実施形態のように、単に携帯電話機３０の振動を検知することで扉５０を開けると、上記のような場合でも、着信検知部１９が振動を検知して扉５０が開き入場できてしまう。
【００３０】
これに対して、第２実施形態のように、所定時間後に呼び出しを停止し、携帯電話機の振動が検知されなくなったことを確認した後に扉５０を開けるようにすれば、携帯電話機を所持し、かつその携帯電話機の番号を入力した者だけを入場させることが可能となり、上記のような不正を排除して、セキュリティをある程度まで確保することができる。また、前述のように、ステップＳ１４でセットするタイマ値をランダムとすれば、呼び出しが停止するタイミングが毎回変更される。そして、携帯電話機以外の振動物や他人の携帯電話機などを使った場合は、呼び出しが停止したタイミングを外からは認識できないので、呼び出し停止タイミングに合わせて振動物や他人の携帯電話機などを着信検知部１９から離し、振動を検知させなくすることで不正入場が可能となるのを抑制することができる。
【００３１】
ステップＳ２２において、カード読取部１２にカードが挿入された場合は（ステップＳ２２：ＹＥＳ）、カードから読み取った情報を判定部１６で照合して、入場を許可するか否かを判定する（ステップＳ２３）。判定の結果、カード情報が正常であれば入場を許可すると判断し（ステップＳ２４：ＹＥＳ）、表示部１４に、入場許可のメッセージを表示して（ステップＳ１９）、扉５０を開く（ステップＳ２０）。一方、判定の結果、カード情報が異常であれば入場を禁止すると判断し（ステップＳ２４：ＮＯ）、表示部１４に、例えば「このカードでは入場できません。」といった入場禁止のメッセージを表示して（ステップＳ２５）、扉５０を開けないようにする。
【００３２】
上述した第２実施形態においても、訪問者は、携帯電話機３０さえ所持しておれば、事前登録やＩＤタグの配布を受けなくても、所定場所へ入場することができる。また、訪問者を出迎えたりＩＤタグを配布したりする必要がないので、担当者の負担を軽減することができる。なお、第２実施形態の場合も、図５（ｂ）に示したように、入力部１１から入力された携帯電話機３０の電話番号、アクセス日時、会社名、氏名などを記録しておくことにより、入場者を特定して記録に残すことができ、誰がいつ入場したのかを容易に知ることができる。
【００３３】
以上述べた各実施形態においては、着信検知部１９に振動センサを用い、携帯電話機３０の着信を振動によって検出するようにしている。携帯電話機３０の振動の態様は、どの携帯電話機であっても大体同じであるから、振動センサを用いることによって、携帯電話機３０の機種にかかわらず着信を確実に検知することができる。しかし、本発明はこれに限定されるものではなく、着信検知部１９に携帯電話機３０の着信音を検知するマイクを用いてもよい。あるいは、着信時に携帯電話機３０の発光部から発する光を検知する光センサを用いてもよい。さらに、振動センサとマイクと光センサの２つ以上の組み合わせにより着信検知部１９を構成してもよい。
【００３４】
本発明は、以上述べた実施形態以外にも、種々の形態を採用することができる。例えば、上記各実施形態では、携帯電話機３０の電話番号を入力部１１のテンキーにより入力するようにしたが、電話番号を携帯電話機３０の画面に表示させ、この表示された電話番号を入場管理装置１００側で光学的に読み取ることで、電話番号を入力するようにしてもよい。
【００３５】
また、図７の手順においては、タイマのスタート前とタイムアップ後の２つの時点で振動有無を検知しているが（ステップＳ１３、Ｓ１８）、タイマがスタートしてタイムアップするまでの間においても、振動有無を連続的に検知するようにすれば、不正をより確実に防止して、セキュリティの向上をはかることができる。
【図面の簡単な説明】
【００３６】
【図１】本発明の入場管理装置を扉付近に設置した状態を示す外観図である。
【図２】本発明の第１実施形態に係る入場管理装置のブロック図である。
【図３】第１実施形態に係る入場管理装置の動作を示したフローチャートである。
【図４】携帯電話機を着信検知部に当てた状態を示す外観図である。
【図５】記憶部に記憶されているデータの例である。
【図６】本発明の第２実施形態に係る入場管理装置のブロック図である。
【図７】第２実施形態に係る入場管理装置の動作を示したフローチャートである。
【符号の説明】
【００３７】
１１  入力部
１４  表示部
１５  記憶部
１７  扉制御部
１８  呼出部
１９  着信検知部
２０  制御部
２１  タイマ部
３０  携帯電話機
５０  扉
１００  入場管理装置
【図１】
2006107137.tif 000003
【図２】
2006107137.tif 000004
【図３】
2006107137.tif 000005
【図４】
2006107137.tif 000006
【図５】
2006107137.tif 000007
【図６】
2006107137.tif 000008
【図７】
2006107137.tif 000009